(57)【要約】【課題】デジタル放送局に限定受信機能を有したＶＯＤサービスを安価に導入する。【解決手段】放送用送出システム単位に放送用送出システムを識別するＨＥ識別番号を付与し、各放送用送出システムからＨＥ識別番号とワーク鍵を受信する。ＶＯＤコンテンツをスクランブルする際、スクランブル鍵はコンテンツ単位に固定かつ全放送用送出システムで共通とするが、コンテンツに付随して送出する共通情報は各放送用送出システム用に別個にそれぞれのワーク鍵を使って生成する。スクランブルされたコンテンツとＨＥ識別番号毎に生成された複数の共通情報をＶＯＤサーバに蓄積し、受信者からリクエストに応じて、識別した受信者（受信機）の属する放送システムに対応した共通情報とスクランブルされたコンテンツとを多重して送出する。これにより、同一の限定受信システムを導入している異なる放送事業者において、ＶＯＤシステムを共用することが可能となる。【選択図】図３
2007019689.tif 000002
【特許請求の範囲】
【請求項１】
視聴者に供される映像情報や音声情報からなるコンテンツを格納するＶＯＤサーバと、視聴者からのリクエストを受信し前記リクエストに応じ前記コンテンツを送出する指示をＶＯＤサーバに出すとともに受信機側で受信に必要な送出条件を受信機に通知するＶＯＤ制御部と、前記コンテンツをスクランブルするスクランブル部と、前記コンテンツがスクランブルされた場合に受信機側でデスクランブルするために必要な共通情報を生成する共通情報生成部と、前記スクランブル部と前記共通情報生成部とを制御してスクランブル処理やスクランブル鍵を生成するスクランブル制御部と、視聴者からのリクエストを受け付け前記ＶＯＤ制御部に送出すると共にサーバから送出されたコンテンツを受信・デスクランブルする受信機と、これらを接続する伝送路からなるＶＯＤシステムにおいて、
前記スクランブル制御部は前記共通情報をＶＯＤサービスとは異なる通常の放送サービスで使用される共通情報と同一の形式で作成し、さらに同一のワーク鍵で暗号化してコンテンツと共に送出することにより、受信機側では共通情報からデスクランブル鍵を抽出する限定受信復号部を放送サービスとＶＯＤサービスで共通とすることを特徴とするＶＯＤシステム。
【請求項２】
前記スクランブル制御部は共通情報を作成する際に、異なる複数の放送局の放送サービス用限定受信システムからそれぞれ異なるワーク鍵と放送局を識別する番号を受け取り、受信機側でデスクランブルするために必要な情報に対しそれぞれのワーク鍵で暗号化した複数の共通情報を作成し、ＶＯＤ制御部ではリクエスト送信してきた受信機がどの放送設備に属するかを識別し、その放送設備に応じたワーク鍵で暗号化された共通情報をコンテンツと共に送出することを特徴とする請求項１に記載のＶＯＤシステム。
【請求項３】
前記スクランブル制御部は、異なる複数の放送局の中からコンテンツ毎にあらかじめ設定された特定の放送局用の共通情報を作成し、前期共通情報をＶＯＤサーバからＶＯＤコンテンツと共に送出することを特徴とする請求項２に記載のＶＯＤシステム。
【請求項４】
前記スクランブル制御部は、異なる複数の放送局の中から、コンテンツと共に送られてくるコンテンツの属性を示すメタデータにより特定される放送局用の共通情報を作成し、前期共通情報をＶＯＤサーバからＶＯＤコンテンツと共に送出することを特徴とする請求項２に記載のＶＯＤシステム。
【請求項５】
前記スクランブル制御部は共通情報生成部から受け取った共通情報をスクランブラに送信し、前記スクランブラはコンテンツ内の特定部分に前記共通情報を多重することを特徴とする請求項１から４記載のＶＯＤシステム。
【請求項６】
前記スクランブル制御部は共通情報生成部から受け取った共通情報をＶＯＤ制御部に送信し、前記ＶＯＤ制御部はコンテンツ送出時にＶＯＤサーバでコンテンツと前記共通情報を多重化して送出することを特徴とする請求項１から４記載のＶＯＤシステム。
【請求項７】
前記スクランブラは、コンテンツの特定のデータブロックをノンスクランブルとすることを特徴とする請求項１から６記載のＶＯＤシステム。
【発明の詳細な説明】
【技術分野】
【０００１】
本発明は、視聴者からのリクエストに応じてコンテンツを送出するＶＯＤ（ビデオ・オン・デマンド）システムにおいて、特にコンテンツをスクランブルして送出するシステムに関するものである。
【背景技術】
【０００２】
デジタル映像配信の分野では、ＶＯＤ（ビデオ・オン・デマンド）サービスは、視聴者が見たい時に見たい番組を視聴できるサービスとして、近年のサーバの低価格化と相まって、有力なサービスとして注目されている。特にデジタルＣＡＴＶにおいては、双方向通信が可能で加入者数が一定範囲内であるという点からＶＯＤが導入しやすく、他のデジタル衛星放送などとの差別化サービスという点からも高く注目されている。
【０００３】
このサービスを実現する時、センタ側から受信機に向けてＶＯＤリクエストされたコンテンツを送出するが、リクエストを送った受信機のみ視聴可能としそれ以外の受信機は視聴出来なくする必要がある。そのため、現在では送出するコンテンツを鍵でスクランブルし、この鍵を正当な受信機のみに送付するという仕組みで実現している。この仕組みを限定受信と言い、一般のデジタル放送サービスでは広く導入されている。
【０００４】
前述の通り、ＶＯＤサービスにおいても通常の放送サービスと同等な限定受信機能（非特許参考文献１参照）を導入する必要がある。そのためこれまでは、送出側および受信機側それぞれで放送サービス用とＶＯＤサービス用との複数の限定受信機能を実装していたが、装置が大規模となり高コストとなる要因となっていた。
【０００５】
また、放送サービスを実施している複数の放送局やＣＡＴＶ局が同一の限定受信方式を導入していても他システムの受信機を排除するためにシステム毎にワーク鍵が異なる仕組みをとっており、ＶＯＤシステムを共有することが出来ず別個にＶＯＤシステムやそれに伴う限定受信設備を導入する必要があり、これも高コストの要因となっていた。
【０００６】
なお、通常の放送サービスにおける限定受信方式では、受信機個別の視聴許可条件を与える個別情報と、番組単位で視聴条件を与える共通情報により機能を実現する。受信機側ではこれらの情報を参照、比較することにより視聴可否を判定する。そのため、送出側では個別情報生成部と共通情報生成部およびこれらを統括制御する制御部などの装置が必要になっていた。
【０００７】
個別情報には、システム毎にユニークであるワーク鍵と視聴許可条件データが格納されており、個別情報全体は受信機毎にユニークであるマスタ鍵で暗号化されている。一方、共通情報には、実際に番組をスクランブルするスクランブル鍵と番組毎の視聴条件データが格納されており、共通情報全体はワーク鍵で暗号化されている。つまり、ワーク鍵によりシステム毎の排他を実現している。
【非特許文献１】（社）電波産業会「デジタル放送におけるアクセス制御方式標準規格」ＡＲＩＢ  ＳＴＤ−Ｂ２５  ４．１版  １５頁、２０頁〜２５頁
【発明の開示】
【発明が解決しようとする課題】
【０００８】
本発明が解決しようとする問題点は、ＶＯＤシステムに限定受信機能を導入する際に、低コストで導入出来ない点である。
【課題を解決するための手段】
【０００９】
本発明は、ＶＯＤサービスでの限定受信機能を低コストで導入するために、スクランブル制御部は共通情報を、ＶＯＤサービスとは異なる通常の放送サービスで使用される共通情報と同一の形式で作成しさらに同一のワーク鍵で暗号化し、受信機からのリクエストに応じてＶＯＤサーバからコンテンツと共に送出する。これにより、受信機側では共通情報からデスクランブル鍵を抽出する限定受信復号部を共通とすることを特徴とする。
【００１０】
また、スクランブル制御部は共通情報を作成する際に、異なる複数の放送サービス用限定受信システムからそれぞれ異なるワーク鍵と放送局を識別する番号を受け取り、受信機側でデスクランブルする際に必要なスクランブル鍵を含む同一の情報に対し、それぞれのワーク鍵で暗号化した複数の共通情報を作成する。ＶＯＤ制御部ではリクエスト送信してきた受信機がどのヘッドエンドに属するかを識別し、そのヘッドエンドに応じた共通情報をコンテンツと共に送出することを特徴とする。
【発明の効果】
【００１１】
本発明のＶＯＤシステムでは、ＶＯＤサービスに限定受信機能を導入する際に、すでに導入されている放送サービス用限定受信と同一の方式を採用しワーク鍵を共用することにより、限定受信設備の一部を放送サービス用と共用することが可能となり、低コストでの導入が可能となる。また、複数の異なる放送局間でＶＯＤシステムや限定受信設備を共用することも可能となるので、効果が一層高くなる。
【発明を実施するための最良の形態】
【００１２】
以下、本発明の実施の形態を図に基づいて説明する。
【００１３】
（実施の形態１）
図１は、本発明のＶＯＤシステムをデジタルＣＡＴＶシステムに適用した場合の図であり、まずその構成要素について説明する。
【００１４】
１はＶＯＤシステムである。ＶＯＤシステムは本来図示する以上に詳細な構成からなるが、本件発明と関係する部分のみ説明し、それ以外の構成要素については概略のみを説明するものとする。
【００１５】
コンテンツ供給部１１は配信ネットワーク１０を通じて送られてくるコンテンツを受信・蓄積する。次いで、通常の限定受信を行わないＶＯＤサービスの場合は、コンテンツはコンテンツ供給部１１からＶＯＤサーバ１２に直接送られる。しかし、本件発明ではコンテンツはスクランブルするためスクランブラ２０に送られる。
【００１６】
スクランブラ２０は、コンテンツを予め定められたデータブロック単位にスクランブル処理を行う。スクランブルするためのスクランブル鍵はスクランブル制御部２１より送られてくる。また、スクランブラ２０は必要に応じスクランブル制御部２１より送られてきた共通情報をコンテンツへ多重処理も行う。
【００１７】
ＶＯＤサーバ１２はスクランブルされたコンテンツをスクランブラ２０より受信し、コンテンツを蓄積する。
【００１８】
ＶＯＤ制御部１３はＶＯＤシステム全体の制御を行う。ＶＯＤ制御部１３では、ＶＯＤコンテンツ供給部１１から供給されるコンテンツをＶＯＤサーバ１２に蓄積するまでの一連の制御を行うため、サーバ蓄積指示などを各機器に送出する。さらに、ＶＯＤ制御部１３では、ＶＯＤサービスを受けようとする受信機からのリクエストを受け付け、視聴許可の判定を行い視聴可能であればＶＯＤサーバ１２にコンテンツ送出指示を行うとともに送出条件をＶＯＤ送出部１４に設定する。
【００１９】
ＶＯＤ送出部１４はＶＯＤ制御部１３からの指示に従い、送出するコンテンツを所定の送出周波数に変調するなどして伝送路を経由して受信機１５へ送出する。
【００２０】
受信機１５は、放送サービスやＶＯＤサービスを受信・デスクランブルしてテレビジョンなどの映像表示装置へ映像信号を送出するものである。また、ＶＯＤサービスにおいてはリモコンなどから視聴者のリクエストを受け、ＶＯＤ制御部１３に向けてリクエスト信号を送出する。
【００２１】
復号部１６は受信機に付随あるいは内蔵されており、共通情報からスクランブル鍵の取り出しを行い、受信機１５に返す。
【００２２】
限定受信制御部２はスクランブル制御部２１と共通情報生成部２２からなる。
【００２３】
スクランブル制御部２１はスクランブル処理全体の制御を行う。放送用送出システム３０の限定受信設備から該当限定受信用のワーク鍵を受け取り、前記ワーク鍵とコンテンツ単位に内部で生成したスクランブル鍵と予め設定されたＶＯＤ番組情報とを共通情報生成部２２に送る。その後、共通情報生成部２２から共通情報を応答として受け取り、その共通情報とスクランブル鍵をスクランブラ２０に送る。
【００２４】
共通情報生成部２２は、スクランブル制御部２１から設定されたワーク鍵、スクランブル鍵、およびＶＯＤ番組情報をもとに共通情報を生成する。生成方法は、スクランブル鍵とＶＯＤ番組情報を一体化しそれをワーク鍵で暗号化する。このように生成した共通情報をスクランブル制御部２１に返信する。
【００２５】
放送用送出システム３０は、通常のデジタル放送サービスを行うための設備であり、限定受信機能も有している。放送用送出システムは本来図示する以上に詳細な構成からなるが、本件発明と関係する部分のみ説明し、それ以外の構成要素については概略のみを説明するものとする。
【００２６】
次に、図１を用いて本発明のＶＯＤシステムの処理内容について説明する。
【００２７】
まず、ＶＯＤコンテンツが配信ネットワーク１０を通じコンテンツ供給部１１に送られてくる。
【００２８】
コンテンツ供給部１１はコンテンツを受信し終わると一旦蓄積後、そのコンテンツをスクランブラ２０に送る。
【００２９】
スクランブラ２０はコンテンツを受信し終わるとスクランブルするための鍵が必要となるので、スクランブル制御部２１に対して鍵要求信号を送る。
【００３０】
スクランブル制御部２１は予め放送用送出システム３０の限定受信設備からワーク鍵を受け取っておく。鍵要求信号を受けたスクランブル制御部２１は、前記ワーク鍵を共通情報生成部２２に設定する。次いで、そのコンテンツをスクランブルするためのスクランブル鍵を生成する。このスクランブル鍵の内容は特に制限はなく、乱数でもよいしＰＮ符号列から生成したものでもよい。次いでスクランブル制御部２１は生成した前記スクランブル鍵と別途ＧＵＩなどで設定されたりもしくはコンテンツ属性を示すメタデータに記載されたＶＯＤ番組情報を共通情報生成部２２におくる。
【００３１】
共通情報生成部２２はスクランブル鍵とＶＯＤ番組情報から平文の共通情報を生成し、その共通情報を予め設定されたワーク鍵で暗号化してスクランブル制御部２１に返信する。
【００３２】
ここで共通情報について図２で説明する。
【００３３】
共通情報とはコンテンツに付随したデータであり、番組毎に視聴許可条件を与えるもので、一般の放送用共通情報は５０に示すようにそのコンテンツをスクランブルするスクランブル鍵と視聴許可番号からなる。視聴許可番号はチャンネル毎や番組毎などの課金単位に、放送用送出システム３０に設置された限定受信設備上で付与される。
【００３４】
視聴許可番号は、共通情報とは別に受信機毎に個別情報５１でも送られており、受信機内では個別情報で送られてきて内部で保持する視聴許可番号と番組に付随して送られてくる共通情報の視聴許可番号が一致すればその番組をデスクランブルして視聴可能とするものである。このように限定受信機能実現のためには、受信機個別に視聴許可を与える個別情報と、番組に付随して番組毎の視聴許可条件を与える共通情報が必要である。
【００３５】
なお、個別情報および共通情報は、ＩＳＯ−１３８１８−１（ＭＰＥＧ２―Ｓｙｓｔｅｍｓ）に規定されるデジタル放送のトランスポートストリームパケットとして映像信号などと多重されて放送局側から受信機側に送られる。受信機側では図１の１６に示す受信機１５に付随する復号部１６内に蓄積され、ここで蓄積された視聴許可番号と共通情報で送られてきた視聴許可番号が比較される。
【００３６】
個別情報５１は、受信機に唯一に割り当てられた受信機番号とワーク鍵と該当受信機に視聴を許可する視聴許可番号からなる。  図２では、この受信機が視聴出来るのは、視聴許可番号（１），（３），（１００），（１０１）であり、共通情報５０は視聴許可番号（１）を含むので、この受信機はこの共通情報５０が付随する番組は視聴できることになる。
【００３７】
このように放送用に個別情報と放送用共通情報５０が送られており、一般放送の場合はこちらを参照することになる。
【００３８】
この時、ＶＯＤサービスにおける個別情報はＶＯＤシステム専用に送るのではなく、放送用送出システムから放送用に送られている個別情報と共用することとする。例えば、個別情報５１では、放送サービス用の視聴許可番号（１）（３）とＶＯＤサービス用の視聴許可番号（１００）（１０１）を合わせて送っている。
【００３９】
ＶＯＤ用共通情報５２で視聴許可番号（１００）を送ると、ＶＯＤ／放送共用の個別情報５１を受信する受信機ではこのＶＯＤ用共通情報５２が付随する番組は視聴可能となる。
【００４０】
このように、個別情報を放送用と共用する事により、ＶＯＤシステム用の個別情報送出設備が不要となり、効果が大きい。
【００４１】
このためには、視聴許可番号が放送用とＶＯＤ用で重複しないように付与することが必要であり、本実施の形態では（１００）番以上をＶＯＤ番組に割り当てている。
【００４２】
暗号化された共通情報を受信したスクランブル制御部２１は前記共通情報とスクランブル鍵をスクランブラ２０に送る。
【００４３】
スクランブラ２０では送られたスクランブル鍵によりコンテンツを一定のデータブロック単位でスクランブル処理する。この時、スクランブル処理と合わせて共通情報をコンテンツに多重すれば、ＶＯＤサーバ１２では共通情報をコンテンツデータと別個に処理する必要がなくなり、ＶＯＤシステムとしてはコンテンツデータのみを管理すればよいと言う効果がある。
【００４４】
なお、共通情報をコンテンツに多重する際、受信機側でコンテンツ受信時のスクランブル鍵の取り出しを容易にするため、通常は一定の周期で多重する。しかし、共通情報を一定周期で多重すると時刻情報の補正が必要となりスクランブラの処理が増大する。これに対し、共通情報をコンテンツの冒頭部分など時刻誤差は無視出来る程度の特定の部分にのみ多重すれば時刻補正処理は不要となる。この場合は、スクランブル鍵をコンテンツで固定とすることにより、受信機側では一旦デスクランブル鍵を取り出せば以降は取り出し処理が不要となり、共通情報を周期的に多重するのと同様の効果がある。
【００４５】
そして、スクランブルされたコンテンツはスクランブラ２０からＶＯＤサーバ１２に送られ蓄積される。
【００４６】
以上が、ＶＯＤサービスのためのコンテンツ蓄積までの流れである。
【００４７】
続いて、受信機１５でＶＯＤコンテンツを視聴できるまでの流れを説明する。
【００４８】
受信機１５では視聴者がリモコンなどを操作することにより、視聴したいＶＯＤコンテンツを選択し、そのリクエスト信号が伝送路を介してＶＯＤ制御部１３へ送られてくる。
【００４９】
ＶＯＤ制御部１３では、受信機番号や送出帯域の空きなどを確認し、受信機がＶＯＤサービス視聴権利があり、かつ送出可能と判断すれば、コンテンツを特定してＶＯＤサーバ１２へ送出指示を送る。同時にＶＯＤ送出部１４に対して、送出するストリーム識別や周波数帯域などの送出条件を指示し、ＶＯＤ送出部１４は指示された条件でＶＯＤコンテンツを伝送路へ送出する。
【００５０】
また、ＶＯＤ制御部１３は、ＶＯＤ送出部１４に設定した送出条件を、受信機１５にも通知し、受信機１５ではその送出条件により送られてくるコンテンツを受信する。
【００５１】
ＶＯＤ制御部１３より送出指示を受けたＶＯＤサーバ１２は、指示されたコンテンツを再生し、ＶＯＤ送出部１４から伝送路を経由して受信機１５へ送出する。
【００５２】
受信機１５では、ＶＯＤ制御部１３から指示された送出条件によりＶＯＤ送出部１４から送られてくる信号を受信する。そして、前記信号の中から共通情報を抽出し受信機１５に付設あるいは内蔵される限定受信復号部１６へ送る。限定受信復号部１６では、前記共通情報を事前に個別情報で送り込まれ内部に保持するワーク鍵で復号したあと、事前に書き込まれた個別情報と比較し、前述の通り視聴許可番号で一致するものがあれば視聴可能と判断し、共通情報に記載されているスクランブル鍵を受信機１５に応答する。受信機１５ではこのスクランブル鍵により、送られてくるコンテンツをデスクランブルし正常な映像が視聴可能となる。
【００５３】
また、スクランブラ２０においてスクランブル処理する際に、特定のデータブロックを非スクランブルのままとすることも可能である。ＶＯＤサーバ１２では視聴者からの要望に応じ早送り／巻戻しなどの特殊再生ファイルを作成する必要があるが、そのためにはコンテンツ内のインデックスデータブロックは非スクランブルである必要があるためである。これによりスクランブル処理されている本編コンテンツから特殊再生ファイルを作成することが可能となり、ＶＯＤサービスにおける限定受信機能と特殊再生機能が両方実現出来る。
【００５４】
（実施の形態２）
続いて本発明の第２の実施形態について図３で説明する。
【００５５】
第２の実施形態においても、構成は図１と同様であるため、詳細な機器の説明は割愛する。第２の実施形態で第一の実施形態と異なるのは、一つのＶＯＤシステム１に対してこれを使用する放送局またはＣＡＴＶ局が複数存在することであり、放送用システム３０が３０−１から３０−ｎまで複数存在することである。
【００５６】
放送用システム３０−１〜ｎはそれぞれ同一方式の限定受信システムを採用しており、限定受信に使用するワーク鍵がそれぞれ異なっている。
【００５７】
また、本実施の形態２では、共通情報をスクランブラ２０でコンテンツに多重するのではなく、スクランブル制御部２１からＶＯＤ制御部１３へ送り、ＶＯＤシステム側でコンテンツ送出時に多重するものとする。
【００５８】
ＶＯＤコンテンツをスクランブルするときのシーケンスを図４で説明する。
【００５９】
まず、スクランブルに先立ち、各放送用システム３０−１〜ｎは、それぞれユニークに割り当てられたＨＥ識別番号（ＨＥ−ＩＤ）とワーク鍵（Ｋｗ）をスクランブル制御部２１に通知する＜Ｓ１＞。
【００６０】
スクランブル制御部２１はＨＥ識別番号（ＨＥ−ＩＤ）とワーク鍵（Ｋｗ）の組を放送用システムの分だけ記憶しておく。本実施例だとｎ個になる。
【００６１】
次に、コンテンツがスクランブラ２０に送られてくるとスクランブラ２０から鍵要求信号がスクランブル制御部２１に送られてくる＜Ｓ２＞。
【００６２】
スクランブル制御部２１では、保持しているワーク鍵の中から第一の放送用送出システムのワーク鍵（Ｋｗ１）を取りだしそれを共通情報生成部２２に送る。続いて、生成した全ＨＥ共通のスクランブル鍵（Ｋｓ）とＶＯＤ番組情報（ＡＣ）を共通情報生成部２２に送る。
【００６３】
これを受け取った共通情報生成部２２では、視聴のための共通情報（ＥＣＭ１）を生成し、スクランブル制御部２１に返信する。＜Ｓ３−１＞。
【００６４】
これによりスクランブル制御部２１は第一の放送用送出システム用の共通情報（ＥＣＭ１）を得る。
【００６５】
この手順を、保持している全ての放送用送出システムの分だけ繰り返し、すべての放送用送出システムに対応したＶＯＤ用共通情報（ＥＣＭ１〜ｎ）を得る＜Ｓ３−２＞〜＜Ｓ３−ｎ＞。
【００６６】
その後スクランブル制御部２１は、前記スクランブル鍵（Ｋｓ）をスクランブラ２０に送る＜Ｓ４＞。
【００６７】
スクランブラ２０では、コンテンツを全ＨＥ共通の送られてきた前記スクランブル鍵（Ｋｓ）でスクランブルを行う。
【００６８】
一方、各放送用送出システム用の共通情報（ＶＯＤ用共通情報（ＥＣＭ１〜ｎ））とＨＥ識別番号（ＨＥ−ＩＤ）の組は、スクランブル制御部２１からＶＯＤ制御部１３を介してＶＯＤサーバ１２へ送られる。
【００６９】
ＶＯＤサーバ１２では別途スクランブラ２０から送られてくるコンテンツと、前記コンテンツに対応したＨＥ識別番号（ＨＥ−ＩＤ）とＶＯＤ用共通情報（ＥＣＭ１〜ｎ）の組を蓄積しておく。
【００７０】
なお、この時スクランブル制御部２１からＶＯＤ制御部１３へ送られるＨＥ識別番号（ＨＥ−ＩＤ）とＶＯＤ用共通情報（ＥＣＭ１〜ｎ）の組は、通常は全ての組を送る。しかし、あらかじめスクランブル制御部２１でコンテンツ毎にどの放送局に配信するかを設定し、設定された放送局用のＶＯＤ用共通情報（ＥＣＭ１〜ｎ）のみを作成してＶＯＤ制御部１３へ送るようにすることにより、放送局別のコンテンツ運用が可能となる。
【００７１】
さらに、配信放送局をスクランブル制御部２１で設定するのではなく、配信ネットワーク１０を通じてコンテンツに付随して送られてくるコンテンツ属性を示すメタデータに記述することも可能である。スクランブル制御部２１は、メタデータに記載されている放送局用のＶＯＤ用共通情報（ＥＣＭ）のみを作成することになる。これによりどの放送局に配信するかというコンテンツ運用をコンテンツの供給者側で決定出来る。
【００７２】
ＶＯＤ制御部１３は配下の受信機番号とその受信機がどの放送用送出システム配下であるかを個別に管理している。
【００７３】
そして、受信機１５からＶＯＤ視聴のリクエストを受信すると、その受信機がどの放送用送出システムに属しているか、また要求されたコンテンツの視聴権利があるかを判別し、送出可能であればＶＯＤサーバ１２に対してコンテンツ番号、ＨＥ識別番号（ＨＥ−ＩＤ）を通知する。
【００７４】
ＶＯＤ制御部１３で管理する情報を図５により説明する。
【００７５】
受信機情報テーブル４０は受信機毎に管理する情報である。受信機毎に受信機番号、その受信機が所属するＨＥ識別番号（ＨＥ−ＩＤ）および視聴出来る番組を示す視聴許可番号からなる。
【００７６】
コンテンツ情報テーブル４１はコンテンツ毎に管理する情報であり、コンテンツ番号とそのコンテンツ毎の視聴許可番号からなる。
【００７７】
受信機１５からはＶＯＤ番組視聴リクエストとして、受信機番号とコンテンツ番号が送られてくる。
【００７８】
ＶＯＤ制御部１３では、まずコンテンツ情報テーブル４１よりリクエストされたＶＯＤコンテンツに係わる視聴許可番号を得る。例えば、受信機番号００００００２の受信機からコンテンツ番号１００２がリクエストされたとする。コンテンツ情報テーブル４１よりコンテンツ番号１００２に対する視聴許可番号は１０１であることがわかる。
【００７９】
次に受信機情報テーブル４０によりリクエストをしてきた受信機がそのコンテンツを視聴する権利があるかを判定する。上記の例だと、受信機番号０００００２の受信機は視聴許可番号１０１を有しており、リクエストしてきたコンテンツ番号１００２は視聴可能である。
【００８０】
最後に、視聴可能と判断した場合に、コンテンツ番号と前記リクエストしてきた受信機が所属する放送システムの番号（ＨＥ識別番号）をＶＯＤサーバ１２に通知する。この例では、コンテンツ番号１００２とＨＥ識別番号０１を送ることになる。
【００８１】
ＶＯＤサーバ１２では指定されたコンテンツ番号とＨＥ識別番号（ＨＥ−ＩＤ）で指定された前記コンテンツに対応する共通情報（ＥＣＭ）を多重してＶＯＤ送出部１４へ送出する。
【００８２】
以上により、異なる放送設備を有するＣＡＴＶ局などの放送局間でＶＯＤシステムを共有することが可能となる。
【産業上の利用可能性】
【００８３】
上記の通り、本発明では、既にデジタル放送用限定受信システムを導入しているＣＡＴＶ局が新たにＶＯＤサービスを導入する場合に、放送用で使用している限定受信システムの一部をそのままＶＯＤサービスにも適用出来る。
【００８４】
さらに、異なるデジタルＣＡＴＶ放送局などの放送用送出システム間で同一のＶＯＤシステムを共有することも可能となる。
【図面の簡単な説明】
【００８５】
【図１】本発明の実施の形態１におけるシステム構成を示すブロック図
【図２】実施の形態１における共通情報を示した模式図
【図３】本発明の実施の形態２におけるシステム構成を示すブロック図
【図４】実施の形態２におけるシーケンスを示した図
【図５】実施の形態２におけるＶＯＤ制御部の管理する情報を示した図
【符号の説明】
【００８６】
１    ＶＯＤシステム
１２    ＶＯＤサーバ
１３    ＶＯＤ制御部
２０    スクランブラ
２１    スクランブル制御部
２２    共通情報生成部
【図１】
2007019689.tif 000003
【図２】
2007019689.tif 000004
【図３】
2007019689.tif 000005
【図４】
2007019689.tif 000006
【図５】
2007019689.tif 000007